(57)【要約】【課題】現代を含めた後世への系譜的メッセージ保存方法及びシステムの提供【解決手段】コンピュータによる現代を含めた後世に伝達したい情報その他の物品を系譜的管理保存するシステムであって、世帯を中心とした個人の系譜的特定手段と、特定の補助となる補助データの保存手段と、イメージデータ情報の保存領域を有した個人の系譜とからめた保存手段と、保存物品がある場合は保存物品の関連情報の保存手段を有し、関係者及び／又は一般からの閲覧手段とを有し、該システムにはさらに、保存者から指定者に対して、情報発信あるいは行事遂行手段を有する。【選択図】  図１
2004318341.tif 000002
【特許請求の範囲】
【請求項１】
コンピュータによる現代を含めた未来の人々や社会に伝達したい情報その他の物品を系譜的に管理保存するシステムであって、個人の系譜的特定手段と、特定の補助となる補助データの保存手段と、イメージデータ情報の保存領域を有した個人の系譜とからめた保存手段と、保存物品がある場合は保存物品の関連情報の保存手段を有し、関係者及び／又は一般からの閲覧手段とを有したことを特徴とする系譜的メッセージバンクシステム。
【請求項２】
該システムにはさらに、保存者から指定者に対して、情報発信あるいは行事遂行手段を設けたことを特徴とする請求項１記載の系譜的メッセージバンクシステム。
【請求項３】
該システムには、閲覧希望者が関係者かどうかをチェックするチェック機能を設けていることを特徴とする請求項１に記載の系譜的メッセージバンクシステム
【請求項４】
インターネット上に情報を公開あるいは配信するサーバー装置であって、現代を含めた後世に一般に公開できる情報を保存する保存手段と、許可された閲覧者が閲覧できる閲覧手段と、配信先に応じて配信内容を管理して配信する配信管理手段を有することを特徴とする配信サーバ装置。
【請求項５】
インターネット上に情報を公開あるいは配信する方法であって、一般に公開できる情報を系譜的に保存する保存ステップと、関係者のみに公開される情報を入力する入力ステップと、入力情報を格納する格納ステップを有し、入力者には自己の情報をどのように開示するのかについての方法を選択する選択ステップと、関係者かどうかを判定する判別ステップと、関係者であれば配信内容を管理して配信する配信管理ステップを有することを特徴とする系譜的メッセージ保存管理方法。
【請求項６】
コンピューターにより読み取り可能であり、一般に公開できる情報を系譜的に保存する保存手段と、特定関係者のみに閲覧を可能とする関係者チェック管理手段を有し、関係者には閲覧のための表示手段を有し、配信先に応じて配信内容を管理して配信する配信管理手段を有することを特徴とするプログラム。
【発明の詳細な説明】
【０００１】
【発明の属する技術分野】
本発明は、主に、個人が現代を含め未来の人々や社会に伝達したいものを最新技術を用いてシステム的に系譜的に保存し、現代以降の後世において、特定の関係者あるいは一般の希望者に閲覧可能とする世代情報の伝達保存管理システムに関する。
【０００２】
【従来の技術】
一般に、個人が未来に何かを伝えようとする場合には、現在においては、自分自身で録画・録音・あるいは何かに記載して保存し、保存している旨を関係者に伝えて置くか、遺言等の形式で残すしか方法がないのが現状である。幸い長期間品質劣化の少ないＤＶＤなどの最新の技術を用いれば、情報の記録保存には全く問題のない現代となってきている。
【０００３】
一方、この世で最も価値の有るものは、生命そのものであり、さらに、先祖から子孫に脈々とつながる生命の連続性、すなわち継続される生命実態そのものがすべての科学文明の基礎であり、最も人類が保護し、守っていかなければならないものであるといえる。このように価値あるものを崇拝し、伝えていく文化は、日々先祖を敬い、大切にする習慣のなかから自然とはぐくまれていくものであるが、現代は多世代が一緒に生活し、日常の生活の中において、先人の教えや遺産を伝えあうということが少なくなってきており、社会的システムにおいても、そのような役割を担う習慣や人々の意識、教育がすたれていっているのが現状であり、このような役割を担うものとして本発明のようなメッセージバンクの整備が要望されている。
【０００４】
【発明が解決しようとする課題】
メッセージバンクに似た従来のシステムといえば、タイムカプセルがあげられる。これは、参加者が、タイムカプセルにそれぞれ情報や、品物を納め、何年後にタイムカプセルを開けるかをあらかじめ定めておくものである。その中には手紙を納めることもでき、タイムカプセルを開けてすぐにその手紙は宛名の人に手渡され、遠方であれば、郵送される。
【０００５】
このような方法であれば、タイムカプセルに参加した人は、あらかじめ定められたオープン時に参加する必要があり、好きな時に自己が納めたものを見ることができない。また、子孫はタイムカプセルに先祖が参加している等の情報をあらかじめ得ており、しかも決められた日にタイムカプセルがある場所に出向かなければ、参加することは不可能となる。
このように、現状の制度はいついかなる状況においても、確実に先祖から子孫への継承が行われるわけではない。また、このような単なる物品の保存手段では自己の生物学的、遺伝学的系統に基づいて情報が保存管理されるわけではない。従って、系統だてて確実に情報等が伝えられるシステムというものは存在しなかった。下記技術文献はイベントの開催を通知したり記録したりするものであり、各種情報を保存するシステムは多数存在するが人類の系譜を中心に情報を管理保存するシステムは現在まで存在しない。ここで系統だてて情報を保存するとは、登録者の特定において系統を検索し、同一系譜の人には同一の氏コードを付し、同一系譜として情報が同一氏コードで管理されるため、自己の同一先祖及び子孫についての保存情報の関係者として閲覧可能となり、自己の情報も同一系譜の人に提供可能となるような保存管理方法を指す。
さらに、遺骨は現在では、墓に埋葬されるのが一般的であるが、墓そのものが固定の場所であるため、なかなか墓参できないのが現状である。
そして、科学文明の発達により、骨のみでなく、人間の遺伝子も常温で保存が可能となり、継承したいものの中には遺伝子も含める必要が生じている。
このような問題点を解決するため、本発明を提案する。
【特許文献１】
特開２０００−６６７１４号「イベント通知装置及びイベント通知方法並びに記録媒体」
【０００６】
【課題を解決するための手段】
本発明の系譜的メッセージバンクシステムは、コンピュータによる現代を含めた未来の人々や社会に伝達したい情報その他の物品を系譜的に管理保存するシステムであって、個人の系譜的特定手段と、特定の補助となる補助データの保存手段と、イメージデータ情報の保存領域を有した個人の特定とからめた保存手段と、保存物品がある場合は保存物品の関連情報の保存手段と、関係者及び／又は一般からの閲覧手段とを有したことを要旨とする。
【０００７】
本発明の系譜的メッセージバンクシステムには、さらに、保存者から指定者に対して、情報発信あるいは行事遂行手段を設けたことを要旨とする。
【０００８】
さらに、本発明の系譜的メッセージバンクシステムには、閲覧希望者が関係者かどうかをチェックするチェック機能を設け、チェックから外れる人には情報を配信しないようにプロテクトをかけたことを要旨とする。
【０００９】
本発明の配信サーバ装置は、インターネット上に情報を公開あるいは配信するサーバー装置であって、現代を含めた後世に一般に公開できる情報を系統系に保存する保存手段と、許可された閲覧者が閲覧できる閲覧手段と、配信先に応じて配信内容を管理して配信する配信管理手段を有することを要旨とする。
【００１０】
本発明の系譜的メッセージ保存管理方法は、インターネット上に情報を公開あるいは配信する方法であって、一般に公開できる情報を系譜的に保存する保存ステップと、関係者のみに公開される情報を入力する入力ステップと、入力情報を格納する格納ステップを有し、入力者には自己の情報をどのように開示して行くかの方法を選択する選択ステップと、関係者かどうかを判定する判別ステップと、関係者であれば配信内容を管理して配信する配信管理ステップを有することを要旨とする。
【００１１】
最後に本発明のプログラムは、コンピューターにより読み取り可能であり、一般に公開できる情報を系譜的に保存する保存手段と、特定関係者のみに閲覧を可能とする関係者チェック管理手段を有し、関係者には閲覧のための表示手段を有し、配信先に応じて配信内容を管理して配信する配信管理手段を有することを要旨とする。
【００１２】
【発明の実施の形態】
本発明においては、個人が希望する継承データをシステム的に系譜的に保存管理するため、まず、個人を如何に特定するかが非常に重要な要素となる。個人特定の方法としては、本発明では、１４桁コードを用いて、登録年号データ・氏データ（先頭１桁は姓の由来データ）・名前データ（最後の１桁は場所データ）をコード化している。
すなわ下記に示すように数字及び英文字を用い、例えば４桁を年号で使用し、次の１桁を生まれ落ち、養子、離婚等個人の姓の履歴表示に使用し、さらに氏（姓）で４桁を使用する、また、名の情報に４桁使用し、最後の１桁をオプション情報として使用する。そして、使用する記号は数字のみではなく、文字が使用可能である。このようにすれば、１０億通りに対応可能である。
【００１３】
2004318341.tif 000003
【００１４】
２００３年に登録された生まれたときの姓である伊藤（１２１２）を氏として有し、名前が靖男（２０００）であって、東京都（Ａ）に住んでいる。
【００１５】
ここで、さらに工夫しているのは、上記以外にさらに補助データを設け、母親側の情報あるいは父親側の情報が検索できるようにしている。
具体的には、申込時に以下のようなデータを記入してもらう。
【００１６】
2004318341.tif 000004
そして、これらの情報から新規登録する人の姓の流れを確定する。
同一系譜の姓は同じ番号分類をし、基本的には子供と親という関係の遺伝子学的又は法的な親子関係の延長による伝達を行うものとする。
【００１７】
すなわち、本システムは、現在の社会にあって、家族のあり方が今後どのように変化しようとも、個人がこの世に存在するという意味において、父親、母親が不可欠であり、家族のきずなを意識する上において、家族及び個人の物及び情報の伝達継承を目的とするものであるため、婚姻制度によって同一世帯となった男女は、どちらの系列も検索可能とすることが必要となる。ここで検索は先祖の方向にも、子孫の方向にも可能とする。そして本システムに特徴的な点としては、系譜的な個人の特定と、それに絡めた情報の保存を行っている点であり、例えば、上記伊藤靖男と同一系譜（生物学的、遺伝学的系譜を意味する）の人である子供や孫を登録する場合は同一系譜が確認できるよう氏コードを同一としている。これは伊藤姓であれば、同一コードを付しているのではなく、伊藤姓でも全く系譜の異なる人には、氏コード「１２１２」は付さないようにしている。４桁の氏コードが同じであれば、同一系譜であることがわかるようになっている。これは、婚姻により伊藤姓から婚家の姓に変わった娘にも同じ氏コード「１２１２」が付られる。
さらに、以下の実施例に述べるオープンデータについては、自由にどこからでも、誰からでも検索できるようになっている。
次に、本システムで重要なことは、登録者の後世に伝達すべきメッセージが保存可能ということであり、臓器提供意思、遺伝子提供意思、献血意思、遺産目録、自己の血縁リスト、遺産配分の意思、葬儀の希望形式、葬儀後の希望法事、愛用品等の処分方法等その他個人が保存を希望するすべてのものを保存するのに適しているであろう。
【００１８】
さらに、本システムの利用方法であるが、子孫が一方的にアクセスするのも方法であるが、登録者側で、一定時期に子孫にメールや郵便等の方法で、登録者からのメッセージとして発することも可能である。さらに、このとき発信方法としては、郵便、Ｅ−ｍａｉｌ、電話、ＦＡＸ、電報等の方法が考えられ、時期的には毎年、３年置き、５年置き１０年置き、あるいは、長男の入学時、中学進学時、高校進学時、大学進学時、成人時等が考えられる。自分が自由に希望する日時・形式等を自由に選定できる。さらに自己の情報の保存の時間的隔離方法としても、５年置きに分けて保存する等の調整も可能であり、遺言等の保存は年に１回等の制限を設け、自由に書き換え可能としても良い。
毎年、命日になれば、亡くなった人よりメッセージが届くというのも残された者にとっては、非常に価値あるものと推測され、受け取った家族は懐かしい思いを胸に抱くことができる。
なお、本システムにあっては、長くシステムが維持管理される必要から年会費制度あるいは利用料徴収制度さらには財団による管理等が適していると考える。
【００１９】
【実施例１】
本発明の第１の実施例を図１から図３を参照しながら説明する。
本実施例は、個人が自己の子孫にメッセージその他の物を伝えたい場合のシステムを説明する。図１は、本システムにおける情報保存領域の概念説明図、図２は本システムのネットワークシステム構成図、図３は本システムにおける新規情報の登録の流れを説明するフロー図である。
【００２０】
まず、本システムは図２に示すように、全国を高速回線網でつないで実施され、関係者はどこからでも情報を発信できる。現実に使用される端末は、一般的なパソコン画面及び本体あるいはＴＶモニターを表示画面とし、高速回線と接続されている構成となる。
図１は、メッセージ保存のための登録領域を示す。
（１）は個人特定のための特定コード全体、（２）は登録年コード、（３’）は氏（姓）の履歴コード、（３）は氏データに基づく氏コード、（４）は名前データに基づく名前コード、（４’）は場所コードである。まず、本システムを利用しようとする者は、図３で示すフロー図に従って本システム内容を決定して行く。
すなわち、まず本システムに申し込みを行う（Ｓ１０１）。すると１４桁の個人特定コードが付与される（Ｓ１０３）のだが、この個人特定コードの付与のために、まず、既登録者との関係の検索作業（系譜検索）が自動的に行われる。
【００２１】
その方法は、どのようなものでもかまわないが、例えば、「００１４」で記載した様に、姓、名、生年月日等で姓の流れを特定し氏コードを特定し、その氏コードで検索する。同一の登録者が居り、その数が少なければ画面上に氏名が表示され（Ｓ５）、本人が画面上で確認できるようになる。数が多ければ、さらに、登録者の場所コード（４’）あるいは父方の情報（５）又は母方の情報（６）等の補助コードで検索され、同一の情報がある登録者を表示させる。それらの登録者の中で先祖に該当する人があれば、その人の氏コードと同一の氏コードを新規登録者のコード（場所コード４’と氏コード３）とする。逆に氏コードで検索し全く同一者がいなければ、補足的に登録者の親戚の人々の氏コードの入力を要求し（Ｓ４）、その検索の結果、親戚がいないかどうか確認作業が行えるようなシステムとなっている。なお、この系統検索機能は、新規登録者が現れた場合のみではなく、実施例２におけるシステムにおいて、無縁仏が発生したような場合にも、縁者を検索する方法として利用可能となっている。
【００２２】
この特定用のコードの構成は図１の（１）のようになっており、登録時の年号をコード化した年号コード（２）、氏（姓）の履歴コード（３’）、氏によるコード（３）、名前（姓名の名）によるコード（４）、場所をコード化した場所コード（４’）から構成されている。例えば、「○○△△」という名前の人が東京に現在住んでいるとする。この人の場所コードは、登録場所が東京であるため、東京の場所コードである「Ａ」の１桁がコード番号の最後となり、次に「○○」という姓より対応するコード「１０２２」が氏コードとなる。さらに名前が「△△」であるため対応コード「４０６５」がふられる。そしてこの姓コードの先頭（３’）には生家を表す記号（たとえば実家姓１、婚姻姓２、養子姓３、離婚による復姓４等）がふられ、この人のコードは「２００３１１０２２４０６５Ａ」となる。
【００２３】
さらに、これだけの情報で個人の特定は困難であるため、父方の情報（５）や母方の情報（６）も補助データとして登録可能としている。
検索する場合は、これらのコードおよび補助データより検索を行う。
情報を保存する領域は（８）に示すように、本実施例では３つの保存領域を設けている。
【００２４】
この３つの領域の使用方法は登録者が決定する。例えば登録者の若いころの情報、１０年後の情報、さらに、最近の情報というように使い分けると、時を違えて、何年かおきに保存するということが可能となる。このようにすると、登録人の健康状態の変化、あるいは思考の変化を保存できるかも知れない。このように各領域は同時にメッセージを保存しなければならないわけではない。さらに、妻が１人息子が２人いる人であれば、３つの領域をそれぞれの家族に対するメッセージとして使用することも可能であるし、あるいは、１つは家族へのメッセージ、２つ目は親戚へのメッセージ、最後は趣味の仲間へのメッセージという風に使い分けてもよい。
登録人は、どの情報をオープンにするかを選択することができ、上記例でいえば、家族、親戚へのメッセージを関係者以外には非オープンにし、趣味の仲間へのメッセージをオープンにする等の方法が考えられる。
【００２５】
さらに、メッセージには映像や文字・音のみではなく、納骨データ（１１）・遺伝子データ（１２）・遺言データ（１３）・オープンデータ（１４）等も添付することができ、自分の墓がどこにあるのか、交通手段、慰霊希望等、あるいは遺伝子の保存もどこで行っているか等の寄託機関名を記載あるいは、将来的に電子データの形で遺伝子が保存されるようになるとするとその遺伝子データバンク番号等を保存可能である。さらに、誰でも、いつでもアクセス可能なようなオープンデータ領域も設けても良い。
本システムは、子孫が一方的に閲覧しても良いし、寺院や自宅等で法事を行う場合には、親戚へのオープンデータを公開するようにしても良い。さらに、登録者から情報を発信することを選択する場合は、メッセージ発信方法の記載欄（１５）に、どのような時期にどのような方法でどのデータを発信するのかを登録すれば、自動的に発信される。
また、本システムは１つの領域を個人で確保する場合のみでなく、法人や家族あるいは１つの系譜で所有し、順次代が変われば新たな情報を追加保存するということでも良い。この場合は先祖の保存データは整理して補足データの部分に転記しても良い。
【００２６】
このようなシステムを利用した９８歳の女性の実例を記載する。
今から１００年後の社会において、閲覧者（登録者と一定の関係がある）である９８歳の女性（今少し、寂しい感がある）が先祖のメッセージを見たとする。１つ目のデータには、自分の母親が４歳のかわいい女の子で入園式で両親と一緒に手をつないで、嬉しそうにはしゃいでいる光景がある。そして２つ目のデータにはその３０年後母は３４歳で実家で両親と共に楽しそうに小さいかわいい女の子に服を着せている、子供の名前を母親の両親が「さゆりちゃん」「さゆりちゃん」と呼んでお菓子をあげようとしている。女の子は祖父に抱かれており、３０年前の母親にそっくりであった。その女の子は映像から大変みんなから大切にかわいがられていることがわかる。そのメッセージの中に映っているのは閲覧者本人であった。少し気分が和らいだ。このメッセージは祖父からのものだ。このメッセージのサブデータから祖父の親のメッセージへと進む。もっと自分の関係者の顔やメッセージを見たくなった。名前も知らないが、この人達がいたから今の自分が存在するのだと思うと親近感が沸いた。そしてその父母、相手方の親のメッセージを見終わるころ閲覧者は生き生きとしていた。このように本システムは先祖からのメッセージを未来の子孫が受け取ることが可能となり、命の伝達を感じることで、豊かな人間社会の絆となる。
【実施例２】
本発明の第２の実施例を図２を参照しながら説明する。
本実施例は、主にネットワークを利用したメッセージバンクの実施例について説明する。特にインターネットを利用し、全国の公民館等をメッセージバンクの拠点とした実施例を説明し、情報を配信する場合の情報管理システムについて、特に情報のチェックシステムの点を中心に説明する。
【００２７】
図２は、本システムの管理機構の概略説明図である。図において、（２０）はメッセージバンク、（２１）は全国に網羅的にある公民館等の公的集会所である。公民館（２１）とメッセージバンク（２０）とは図に示すように、全国規模の高速回線で結んだシステムでつながれ、会員への映像サービスを実施する。各ステーションは会員よりデーターベース利用、すなわち映像データーベースによる先祖対面を申し込まれると、自己の所属するステーション内であれば、ローカルで検索し、提供する。他ステーション管内の場合は、キーステーションへアクセスして、マスターデータファイルを検索して情報を取り出す。
【００２８】
キーステーションは、会員のデーターベース管理、映像情報の登録、アクセスチャージ等料金管理、他会員への利用促進等の営業サービスを含め綜合管理を行う。
多地点間装置を使うと各ステーションを同時に接続して、一定の場所よりの講演等を全国へ一斉同報することができるようになっている。
このシステムを寺院や教会等、一般に先祖の供養を行う施設に応用することも可能となる。納骨や葬儀を執り行うのは教会・寺院であるため、本システムの運営環境としては教会・寺院を窓口にする方法が考えられる。宗教施設は全国にあり、個人が種々の事情で住居を移転しても、近くの施設に出向くことは比較的容易で実現可能である。施設側も無縁仏の増加に悩んでいるのが最近の状態であるため、このようなシステムであると、血縁関係が機械的にも検索可能となり便利である。
なお、情報のチェック機能としては、一般的なセキュリティ照合システムを用いて、たとえばＩＣ、カード、身分証明書、遺伝子等の時代に合わせて可能なセキュリティーシステム、チェックシステムを使用する。
あわせて、本システムでは、登録時に「００１４」に記載の種々のデータを要求しているため、メッセージの閲覧権利者の確認にはＩＤＮｏ．又は申し込み時に記入したデータの例えば７割以上答えられた人を権利者と認めるようなセキュリティの方法も可能となる。
【００２９】
さらに、一方的に子孫が先祖の登録内容を検索するのみではなく、会員に向けて講演等の配信も可能となるため、会員全体への情報配信にも寄与するシステムとなっている。また、例えば親戚等で行う法事を例に挙げると、故人Ａの法事を親戚の多い大阪で行い、東京に在住で法事の時間に大阪に行くことができない親戚は東京で法事の状況を画面で見ることができ、その場でお焼香も可能であるし、弔辞を画面を通して大阪の会場に届けることも可能である。さらに、時間をずらせて法事の模様を見たい人にもすべてがデジタル保存されているため、十分に後で見ることが可能となる。
【００３０】
【実施例３】
本発明の第３の実施例を説明する。
本実施例は、メッセージ登録者が未来社会における講演・セミナー・コミュニケーションを図りたい場合の本システムの利用方法を説明する。メッセージ登録者が自分の子孫又は関係者ではなく、未来の社会及び人々に伝えたいことがある場合に、一般公開メッセージとして登録する。内容はその人個人が伝えたいことであれば、どのような内容でも良い。例えば、その登録者が未来社会、人類のために環境問題解決に取り組んでいるが、現時点では理解されないが、今、自分は未来社会のために、このような研究活動をしているんだというメッセージを保存し、未来社会において人々にメッセージを伝達し、自分の考えや活動内容についてセミナーを開き未来の社会や人々により良い刺激を与えることができる。
【実施例４】
本発明の第４の実施例を説明する。
本実施例は、主にネットワークを利用したメッセージバンクの現在の情報発信例について説明する。特にインターネットを利用し、結婚希望・文通希望・同好会のメンバーを募るオープンあるいは半オープン情報発信に利用する実施例を示す。
【００３１】
独身のＢが結婚相手を募集するのに、本システムを利用するとする。Ｂは自己の全身写真を領域▲１▼に保存し、自己の拡大顔写真を領域▲２▼に保存し、プロフィールをオープンデータの（１４）に保存し、全くの一般公開の意思で登録したとしよう。
このデータは登録後すぐに公開され、このようなオープンデータを検索した人がこの女性と見合いをしたいと考えれば、残された領域▲３▼に本人の顔写真を保存し、メッセージ発信方法（１５）のところにＢ宛に自分のメッセージが発信されるように登録を行う。このようにすることで、Ｂは連絡を受け取りデータにアクセスすることで申し込み者のプロフィールを知ることができる。
【００３２】
本システムは、このように、メッセージを発信したい人が自己の望む方法でメッセージを発信できるものであって、種々の用途に利用可能である。
また、オープンデータ部分と非公開部分選択を可能としたことで、オープン部分は、あらゆる関連サイトと連結可能で、社会的にも有用なデータバンクとなる。
【００３３】
例えば、検体や臓器提供の意思、あるいは将来的に遺伝子や凍結保存細胞の利用が可能となった場合に、自己の遺伝子や凍結保存細胞を利用可能という意思を有していれば、それらの情報は遺伝子バンク等に連結され、医学的に必要な状況においては、利用可能となる。現代行われている遺族の意思ではなく、生前の本人の意思が得られている最も好ましい形の承諾が存在することになる。
【００３４】
【発明の効果】
本発明によれば、現代を含む後世に残したいあるいは発信したいメッセージが保存可能であり、一般公開用データはいつでもどこからでも誰からでもアクセス可能であり、非公開データは関係者のみアクセス可能となっている。
登録者の特定に工夫を用いているため、主に個人の系譜が把握しやすいデータ構成となっている。
本システムは未来の生命に対するメッセージの伝達を基本とするが結果において新しい先祖の供養の方法でもある。顔も知らないが同じ氏（姓）の流れの番号をもつ人の関係者が１人でも本システムを利用する限り、データはいつでも閲覧できる状態で保存されていることを特徴とする。
従来個人が亡くなると、余程子孫への伝達がしっかりしていないと、多くの情報は消失してしまい、寺院等でもデータは消失されてしまうことが多いが、本システムを利用すると、そのような心配がなく、システム全体としては、人類全体の遺産として保存されるので、データ保存の意味からも非常に好ましいシステムと考えられる。
【００３５】
また、このシステムの登録者としての地位を贈与の対象とすることも可能で、子孫が一人生まれると、その子用の領域を確保して、代々伝えて行くことも可能となろう。
本システムは従来なかった画期的なシステムであり、各種の社会的データバンクとの結合も可能であり、忙しい現代人が忘れかけている先祖あるいは人類が代々語り次いできた貴重な情報を含めた財産の保存利用を広範囲に可能とする。そして、その結果、他地域からの参拝も可能となり、自己の子孫へのメッセージの発信が可能となった。
【図面の簡単な説明】
【図１】本システムにおける情報保存領域の概略説明図である。本システムにおける新規情報の登録の流れを説明するフロー図である。
【図２】本システムにおけるネットワークシステム構成図である。
【図３】本システムにおける新規情報の登録の流れを説明するフロー図である。
【符号の説明】
１  ……個人特定コ−ド
２  ……登録年号コード
３  ……氏コード
４  ……名前コード
５  ……父方情報
６  ……母方情報
７  ……情報保存領域
１１……納骨データ
１２……遺伝子データ
１３……遺言データ
１４……オープンデータ
１５……メッセージ発信方法の記載欄
２０……メッセージバンク
２１……施設（個人）
【図１】
2004318341.tif 000005
【図２】
2004318341.tif 000006
【図３】
2004318341.tif 000007